(57)【特許請求の範囲】
【請求項１】
中央装置と携帯端末装置とが通信網を介して接続され、中央装置から携帯端末装置へ画像情報を送信する配信システムにおいて、
前記携帯端末装置は、
複数の書体夫々の特徴を示す文字画像を一画面に表示する手段と、
文字情報を受け付ける手段と、
受け付けた文字情報の書体を特定するための書体情報を前記文字画像の表示に関連づけて選択的に受け付ける手段と、
受け付けた文字情報及び書体情報を前記中央装置へ送信する送信手段と
を備え、
前記中央装置は、
前記送信手段により送信された文字情報を、複数の書体を登録した書体ファイル及び前記送信手段により送信された書体情報に基づいて画像情報へ変換する変換手段と、
変換した画像情報を前記携帯端末装置へ配信する手段と
を備え、
前記携帯端末装置は、
配信された画像情報を表示する表示手段と、
画像情報を表示する際の表示方法を特定するための情報を受け付ける手段と
を更に備え、
前記送信手段は、
受け付けた文字情報、書体情報及び表示方法を特定するための情報を送信するよう構成してあり、
前記変換手段は、
前記送信手段により送信された文字情報を、前記書体ファイル並びに前記送信手段により送信された書体情報及び表示方法を特定するための情報に基づいて画像情報へ変換するよう構成してあり、
前記表示方法を特定するための情報は、
画像情報を動画として表示させるための動画プログラムを特定するための情報を含み、
前記中央装置は、
動画プログラムを記憶した動画プログラムファイルから、前記送信手段により送信された動画プログラムを特定するための情報に基づいて動画プログラムを抽出する手段と、
抽出した動画プログラムを前記携帯端末装置へ配信する手段と
を更に備え、
前記表示手段は、
配信された画像情報を配信された動画プログラムに基づいて、動画として表示するよう構成してある
ことを特徴とする配信システム。
【請求項２】
前記中央装置は、
複数の書体を登録した書体ファイル
を更に備えることを特徴とする請求項１に記載の配信システム。
【請求項３】
前記文字画像は複数の書体夫々の同一文字の画像であることを特徴とする請求項１または２に記載の配信システム。
【請求項４】
前記携帯端末装置は、
機種を特定するための機種情報を受け付ける手段
を更に備え、
前記送信手段は、
受け付けた文字情報、書体情報、表示方法を特定するための情報、及び機種情報を送信するよう構成してあり、
前記中央装置は、
携帯端末装置の機種毎の特性を登録した機種別ファイル
を更に備え、
前記変換手段は、
前記送信手段により送信された文字情報を、前記書体ファイル、及び機種別ファイル並びに前記送信手段により送信された書体情報、表示方法を特定するための情報及び機種情報に基づいて画像情報へ変換するよう構成してある
ことを特徴とする請求項１に記載の配信システム。
【請求項５】
前記携帯端末装置は、
送信を希望する画像情報を特定するための画像特定情報を受け付ける手段
を更に備え、
前記送信手段は、
受け付けた文字情報、書体情報及び画像特定情報を送信するよう構成してあり、
前記変換手段は、
前記送信手段により送信された文字情報を、前記書体ファイル、及び画像情報を画像特定情報毎に登録した画像ファイル並びに前記送信手段により送信された書体情報及び画像特定情報に基づいて画像情報へ変換するよう構成してある
ことを特徴とする請求項１乃至３のいずれかに記載の配信システム。
【請求項６】
前記携帯端末装置は、
送信を希望する画像情報の属性を特定するための属性特定情報を受け付ける手段と、
受け付けた属性特定情報を前記中央装置へ送信する手段と
を更に備え、
前記画像ファイルは、
送信する画像情報を更に属性特定情報毎に分類しており、
前記中央装置は、
前記送信手段により送信された属性特定情報に基づいて前記画像ファイルから画像情報または画像特定情報を抽出する抽出手段と、
抽出した画像情報または画像特定情報を前記携帯端末装置へ送信する手段と
を更に備える
ことを特徴とする請求項５に記載の配信システム。
【請求項７】
通信網を介して接続される中央装置から配信される画像情報を表示する携帯端末装置において、
複数の書体夫々の特徴を示す文字画像を一画面に表示する手段と、
文字情報を受け付ける手段と、
受け付けた文字情報の書体を特定するための書体情報を前記文字画像の表示に関連づけて選択的に受け付ける手段と、
受け付けた文字情報及び書体情報を前記中央装置へ送信する送信手段と、
前記中央装置により前記送信した文字情報及び書体情報に基づいて変換され及び配信された画像情報を表示する表示手段と
画像情報を表示する際の表示方法を特定するための情報を受け付ける手段と
を備え、
前記送信手段は、
受け付けた文字情報、書体情報及び表示方法を特定するための情報を送信するよう構成してあり、
前記表示手段は、
前記中央装置により前記送信した文字情報、書体情報及び表示方法を特定するための情報に基づいて変換され及び配信された画像情報を表示するよう構成してあり、
前記表示方法を特定するための情報は、
画像情報を動画として表示させるための動画プログラムを特定するための情報を含み、
前記表示手段は、
配信された画像情報を配信された動画プログラムに基づいて、動画として表示するよう構成してある
ことを特徴とする携帯端末装置。
【請求項８】
前記文字画像は複数の書体夫々の同一文字の画像であることを特徴とする請求項７に記載の携帯端末装置。
【請求項９】
機種を特定するための機種情報を受け付ける手段
を更に備え、
前記送信手段は、
受け付けた文字情報、書体情報、表示方法を特定するための情報、及び機種情報を送信するよう構成してあり、
前記表示手段は、
前記中央装置により前記送信した文字情報、書体情報、表示方法を特定するための情報、及び機種情報に基づいて変換され及び配信された画像情報を表示するよう構成してある
ことを特徴とする請求項７に記載の携帯端末装置。
【請求項１０】
送信を希望する画像情報を特定するための画像特定情報を受け付ける手段
を更に備え、
前記送信手段は、
受け付けた文字情報、書体情報及び画像特定情報を送信するよう構成してあり、
前記表示手段は、
前記中央装置により前記送信した文字情報、書体情報及び画像特定情報に基づいて変換され及び配信された画像情報を表示するよう構成してある
ことを特徴とする請求項７または８に記載の携帯端末装置。
【請求項１１】
送信を希望する画像情報の属性を特定するための属性特定情報を受け付ける手段と、
受け付けた属性特定情報を前記中央装置へ送信する手段と
を更に備える
ことを特徴とする請求項１０に記載の携帯端末装置。
【請求項１２】
通信網を介して接続される携帯端末装置から送信された情報に基づいて画像情報を配信する中央装置において、
携帯端末装置へ複数の書体夫々の特徴を示す文字画像を一画面表示するための情報を送信する手段と、
携帯端末装置から送信された文字情報を、複数の書体を登録した書体ファイル及び携帯端末装置で前記文字画像の表示に関連づけて選択されて送信された書体情報に基づいて画像情報へ変換する変換手段と、
変換した画像情報を携帯端末装置へ配信する手段と
を備え、
前記変換手段は、
携帯端末装置から送信された文字情報を、前記書体ファイル、並びに携帯端末装置から送信された書体情報、及び携帯端末装置に画像情報を表示する際の表示方法を特定するための情報に基づいて画像情報へ変換するよう構成してあり、
前記表示方法を特定するための情報は、
画像情報を動画として表示させるための動画プログラムを特定するための情報を含み、
動画プログラムを記憶した動画プログラムファイルから、携帯端末装置により送信された動画プログラムを特定するための情報に基づいて動画プログラムを抽出する手段と、
抽出した動画プログラムを前記携帯端末装置へ配信する手段と
を更に備えることを特徴とする中央装置。
【請求項１３】
前記文字画像は複数の書体夫々の同一文字の画像であることを特徴とする請求項１２に記載の中央装置。
【請求項１４】
携帯端末装置の機種毎の特性を登録した機種別ファイル
を更に備え、
前記変換手段は、
携帯端末装置から送信された文字情報を、前記書体ファイル、及び機種別ファイル並びに携帯端末装置から送信された書体情報、表示方法を特定するための情報及び機種を特定するための機種情報に基づいて画像情報へ変換するよう構成してある
ことを特徴とする請求項１２に記載の中央装置。
【請求項１５】
前記変換手段は、
携帯端末装置から送信された文字情報を、前記書体ファイル、及び画像情報を特定するための画像特定情報毎に画像情報を登録した画像ファイル並びに携帯端末装置から送信された書体情報及び画像特定情報に基づいて画像情報へ変換するよう構成してある
ことを特徴とする請求項１２または１３に記載の中央装置。
【請求項１６】
前記画像ファイルは、
送信する画像情報を更に、属性を特定するための属性特定情報毎に分類してあり、
携帯端末装置から送信された属性特定情報に基づいて前記画像ファイルから画像情報または画像特定情報を抽出する抽出手段と、
抽出した画像情報または画像特定情報を前記携帯端末装置へ送信する手段と
を更に備える
ことを特徴とする請求項１５に記載の中央装置。
【発明の詳細な説明】
【０００１】
【発明の属する技術分野】
本発明は、中央装置から携帯端末装置へ画像情報を送信する配信システムに関し、特にユーザが携帯端末装置により特定した文字及び書体に係る画像情報を配信する配信システム、配信システムを構成する携帯端末装置及び中央装置に関する。
【０００２】
【従来の技術】
近年、携帯電話機等の携帯端末装置の待ち受け画面等に使用する画像情報を配信するサービスが行われている。これらの配信サービスについては多彩な画像情報が提供されており、キャラクター、風景、タレント等の画像情報の他、毛筆書体等で漢字を描いた特殊な文字を含む画像情報等も配信されている。これらは、ユーザが携帯端末装置から配信を行う中央装置へアクセスし、好みの画像を閲覧し、その中から気に入った画像をダウンロードし、待ち受け画面等に画像を採用する。
【０００３】
【発明が解決しようとする課題】
しかしながら、画像情報の配信については多彩なサービスが行われているものの、文字を含む画像情報については、ユーザは予め作成者が作成した文字に係る画像情報しか配信を受けることができず、ユーザの意志が反映されず面白味に欠け、十分な配信サービスが提供されているとはいえなかった。
【０００４】
また、携帯端末はその通信速度、表示画面、及び操作性の観点からは、据え置き型、またはノート型等のパーソナルコンピュータに比べて劣っており、多彩な画像情報を配信する上でこれらの問題を解決する必要もあった。
【０００５】
また、画像情報と比較して文字情報は、複数の文字から構成される場合、その文字の書体、配列、大きさ、アニメーション等によって異なった印象を生ずるという特性があるため、これらの特性を考慮した画像情報の配信システムを構築する必要がある。
【０００６】
また、携帯電話機等の携帯端末装置は、複数のメーカの機種が存在し、その表示画面の表示領域はメーカによって異なるため、メーカの機種に対応した画像情報を配信する必要もある。
【０００７】
また、キャラクター等の画像情報の配信サービスはユーザに大いに受け入れられ浸透しているが、これにユーザが希望する文字情報を組み合わせて画像と文字とが一体となった画像情報を配信すれば、更にこれらの配信サービスが飛躍するものと考えられる。
【０００８】
さらに、これらの画像情報配信サービスの普及に伴い、用意される画像も急激に増加しており、ユーザがこれらの画像を携帯端末装置により全て閲覧して選択するということは、通信速度、通信費等の問題から困難である。
【０００９】
本発明は斯かる事情に鑑みてなされたものであり、その目的とするところは、ユーザが希望した文字及び書体に係る画像情報を配信することにより、よりユーザの意志が反映され、面白みのある画像情報を配信することを可能とし、ユーザが文字の書体を特定する際に、その書体の特徴を示す文字画像を、携帯端末装置に表示することにより、ユーザが容易に書体を特定でき、更に通信速度、通信費、及び表示領域の面で劣る携帯端末装置においても効果的に適用することが可能な配信システム、配信システムを構成する携帯端末装置及び中央装置を提供することにある。
【００１１】
また、本発明の他の目的は、画像情報を画面に表示する際の表示方法を特定することにより、よりユーザの意志を反映することが可能な配信システム、配信システムを構成する携帯端末装置、及び中央装置を提供することにある。
【００１２】
また、本発明の他の目的は、ユーザが使用する携帯端末装置の機種を特定することにより、携帯端末装置の機種に応じた画像情報を配信することが可能な配信システム、配信システムを構成する携帯端末装置、及び中央装置を提供することにある。
【００１３】
また、本発明の他の目的は、文字情報に加えて画像情報をも設定させることにより、ユーザの好みの画像に、様々な書体の画像情報を付加することが可能な配信システム、配信システムを構成する携帯端末装置、及び中央装置を提供することにある。
【００１４】
さらに、本発明の他の目的は、ユーザに選択する画像の属性を入力させることにより、よりユーザにとって好みの画像を選択することが容易な配信システム、配信システムを構成する携帯端末装置、及び中央装置を提供することにある。
【００１５】
【課題を解決するための手段】
第１発明に係る配信システムは、中央装置と携帯端末装置とが通信網を介して接続され、中央装置から携帯端末装置へ画像情報を送信する配信システムにおいて、前記携帯端末装置は、複数の書体夫々の特徴を示す文字画像を一画面に表示する手段と、文字情報を受け付ける手段と、受け付けた文字情報の書体を特定するための書体情報を前記文字画像の表示に関連づけて選択的に受け付ける手段と、受け付けた文字情報及び書体情報を前記中央装置へ送信する送信手段とを備え、前記中央装置は、前記送信手段により送信された文字情報を、複数の書体を登録した書体ファイル及び前記送信手段により送信された書体情報に基づいて画像情報へ変換する変換手段と、変換した画像情報を前記携帯端末装置へ配信する手段とを備え、前記携帯端末装置は、配信された画像情報を表示する表示手段と、画像情報を表示する際の表示方法を特定するための情報を受け付ける手段とを更に備え、前記送信手段は、受け付けた文字情報、書体情報及び表示方法を特定するための情報を送信するよう構成してあり、前記変換手段は、前記送信手段により送信された文字情報を、前記書体ファイル並びに前記送信手段により送信された書体情報及び表示方法を特定するための情報に基づいて画像情報へ変換するよう構成してあり、前記表示方法を特定するための情報は、画像情報を動画として表示させるための動画プログラムを特定するための情報を含み、前記中央装置は、更に動画プログラムを記憶した動画プログラムファイルから、前記送信手段により送信された動画プログラムを特定するための情報に基づいて動画プログラムを抽出する手段と、抽出した動画プログラムを前記携帯端末装置へ配信する手段とを更に備え、前記表示手段は、配信された画像情報を配信された動画プログラムに基づいて、動画として表示するよう構成してあることを特徴とする。
【００１６】
第２発明に係る配信システムは、第１発明において、前記中央装置は、複数の書体を登録した書体ファイルを更に備えることを特徴とする。
【００１７】
第３発明に係る配信システムは、第１発明または第２発明において、前記文字画像は複数の書体夫々の同一文字の画像であることを特徴とする。
【００１９】
第４発明に係る配信システムは、第１発明において、前記携帯端末装置は、機種を特定するための機種情報を受け付ける手段を更に備え、前記送信手段は、受け付けた文字情報、書体情報、表示方法を特定するための情報、及び機種情報を送信するよう構成してあり、前記中央装置は、携帯端末装置の機種毎の特性を登録した機種別ファイルを更に備え、前記変換手段は、前記送信手段により送信された文字情報を、前記書体ファイル、及び機種別ファイル並びに前記送信手段により送信された書体情報、表示方法を特定するための情報及び機種情報に基づいて画像情報へ変換するよう構成してあることを特徴とする。
【００２１】
第５発明に係る配信システムは、第１発明乃至第３発明のいずれかにおいて、前記携帯端末装置は、送信を希望する画像情報を特定するための画像特定情報を受け付ける手段を更に備え、前記送信手段は、受け付けた文字情報、書体情報及び画像特定情報を送信するよう構成してあり、前記変換手段は、前記送信手段により送信された文字情報を、前記書体ファイル、及び画像情報を画像特定情報毎に登録した画像ファイル並びに前記送信手段により送信された書体情報及び画像特定情報に基づいて画像情報へ変換するよう構成してあることを特徴とする。
【００２２】
第６発明に係る配信システムは、第５発明において、前記携帯端末装置は、送信を希望する画像情報の属性を特定するための属性特定情報を受け付ける手段と、受け付けた属性特定情報を前記中央装置へ送信する手段とを更に備え、前記画像ファイルは、送信する画像情報を更に属性特定情報毎に分類しており、前記中央装置は、前記送信手段により送信された属性特定情報に基づいて前記画像ファイルから画像情報または画像特定情報を抽出する抽出手段と、抽出した画像情報または画像特定情報を前記携帯端末装置へ送信する手段とを更に備えることを特徴とする。
【００２３】
第７発明に係る携帯端末装置は、通信網を介して接続される中央装置から配信される画像情報を表示する携帯端末装置において、複数の書体夫々の特徴を示す文字画像を一画面に表示する手段と、文字情報を受け付ける手段と、受け付けた文字情報の書体を特定するための書体情報を前記文字画像の表示に関連づけて選択的に受け付ける手段と、受け付けた文字情報及び書体情報を前記中央装置へ送信する送信手段と、前記中央装置により前記送信した文字情報及び書体情報に基づいて変換され及び配信された画像情報を表示する表示手段と画像情報を表示する際の表示方法を特定するための情報を受け付ける手段とを備え、前記送信手段は、受け付けた文字情報、書体情報及び表示方法を特定するための情報を送信するよう構成してあり、前記表示手段は、前記中央装置により前記送信した文字情報、書体情報及び表示方法を特定するための情報に基づいて変換され及び配信された画像情報を表示するよう構成してあり、前記表示方法を特定するための情報は、画像情報を動画として表示させるための動画プログラムを特定するための情報を含み、前記表示手段は、配信された画像情報を配信された動画プログラムに基づいて、動画として表示するよう構成してあることを特徴とする。
【００２４】
第８発明に係る携帯端末装置は、第７発明において、前記文字画像は複数の書体夫々の同一文字の画像であることを特徴とする。
【００２６】
第９発明に係る携帯端末装置は、第７発明において、機種を特定するための機種情報を受け付ける手段を更に備え、前記送信手段は、受け付けた文字情報、書体情報、表示方法を特定するための情報、及び機種情報を送信するよう構成してあり、前記表示手段は、前記中央装置により前記送信した文字情報、書体情報、表示方法を特定するための情報、及び機種情報に基づいて変換され及び配信された画像情報を表示するよう構成してあることを特徴とする。
【００２８】
第１０発明に係る携帯端末装置は、第７発明または第８発明において、送信を希望する画像情報を特定するための画像特定情報を受け付ける手段を更に備え、前記送信手段は、受け付けた文字情報、書体情報及び画像特定情報を送信するよう構成してあり、前記表示手段は、前記中央装置により前記送信した文字情報、書体情報及び画像特定情報に基づいて変換され及び配信された画像情報を表示するよう構成してあることを特徴とする。
【００２９】
第１１発明に係る携帯端末装置は、第１０発明において、送信を希望する画像情報の属性を特定するための属性特定情報を受け付ける手段と、受け付けた属性特定情報を前記中央装置へ送信する手段とを更に備えることを特徴とする。
【００３０】
第１２発明に係る中央装置は、通信網を介して接続される携帯端末装置から送信された情報に基づいて画像情報を配信する中央装置において、携帯端末装置へ複数の書体夫々の特徴を示す文字画像を一画面表示するための情報を送信する手段と、携帯端末装置から送信された文字情報を、複数の書体を登録した書体ファイル及び携帯端末装置で前記文字画像の表示に関連づけて選択されて送信された書体情報に基づいて画像情報へ変換する変換手段と、変換した画像情報を携帯端末装置へ配信する手段とを備え、前記変換手段は、携帯端末装置から送信された文字情報を、前記書体ファイル、並びに携帯端末装置から送信された書体情報、及び携帯端末装置に画像情報を表示する際の表示方法を特定するための情報に基づいて画像情報へ変換するよう構成してあり、前記表示方法を特定するための情報は、画像情報を動画として表示させるための動画プログラムを特定するための情報を含み、動画プログラムを記憶した動画プログラムファイルから、携帯端末装置により送信された動画プログラムを特定するための情報に基づいて動画プログラムを抽出する手段と、抽出した動画プログラムを前記携帯端末装置へ配信する手段とを更に備えることを特徴とする。
【００３１】
第１３発明に係る中央装置は、第１２発明において、前記文字画像は複数の書体夫々の同一文字の画像であることを特徴とする。
【００３３】
第１４発明に係る中央装置は、第１２発明において、携帯端末装置の機種毎の特性を登録した機種別ファイルを更に備え、前記変換手段は、携帯端末装置から送信された文字情報を、前記書体ファイル、及び機種別ファイル並びに携帯端末装置から送信された書体情報、表示方法を特定するための情報及び機種を特定するための機種情報に基づいて画像情報へ変換するよう構成してあることを特徴とする。
【００３５】
第１５発明に係る中央装置は、第１２発明または第１３発明において、前記変換手段は、携帯端末装置から送信された文字情報を、前記書体ファイル、及び画像情報を特定するための画像特定情報毎に画像情報を登録した画像ファイル並びに携帯端末装置から送信された書体情報及び画像特定情報に基づいて画像情報へ変換するよう構成してあることを特徴とする。
【００３６】
第１６発明に係る中央装置は、第１５発明において、前記画像ファイルは、送信する画像情報を更に、属性を特定するための属性特定情報毎に分類してあり、携帯端末装置から送信された属性特定情報に基づいて前記画像ファイルから画像情報または画像特定情報を抽出する抽出手段と、抽出した画像情報または画像特定情報を前記携帯端末装置へ送信する手段とを更に備えることを特徴とする。
【００４０】
第１発明、第２発明、第７発明及び第１２発明にあっては、携帯端末装置は、ユーザが待ち受け画面等に表示させるために入力した文字情報及び書体（フォント）情報を受け付けて、その受け付けた情報を中央装置へ送信する。そして、中央装置では、予め複数の書体を登録した書体ファイルを参照して送信された文字情報を、送信された書体情報に係る画像情報へ変換する。そして変換後の画像情報を携帯端末装置へ配信するようにしたので、ユーザの意志を反映した待ち受け画面等の画像を配信することが可能となり、より面白みのある配信サービスを運営することが可能となる。また、中央装置においてもユーザが指定した文字を変換して配信すればよいだけなので、様々な文字の画像情報をデータベースとして用意しておく必要もなく機器の小型化、システムの運営の簡易化を図ることが可能となる。
【００４１】
そして、ユーザが書体を決定する場合にそれを支援すべく、書体毎に書体の特徴を示す文字画像を表示する。すなわち、ユーザにとってみればゴシック体、明朝体等の代表的な書体で有れば、その書体を見なくともその書体を想像することは可能であるが、正楷書体または勘亭流等なじみの薄い書体についてはその書体がいかなる形態であるかを把握することは困難である。さりとて、いちいちユーザが入力した文字情報に対応する書体の画像情報を逐次送信して、選択させるのは即時性に欠けユーザに十分なサービスを提供することはできない。また、携帯電話機等の携帯端末装置の記憶容量は少なく全ての書体データについて記憶させておくことは現実的ではない。そのため本発明では、例えば「永」の文字のように書体の特徴を表現するのに適した文字画像を書体毎に表示してユーザに提示し、これに基づいて書体を選択するようにしたので、ユーザは容易に書体の相違を把握でき、しかも携帯端末装置のような通信速度、操作性、記憶容量、表示画面等、パーソナルコンピュータと比較して低性能な環境下でも、その操作性を損なうことなくユーザに画像情報を提供することが可能となる。
【００４２】
また、ユーザが画像情報を待ち受け画面等に表示する際の、画像情報の配列、例えば縦組み、横組み、行及び列、アニメーション（スライド表示、ブラインド表示、ブロック表示など）を指定するために入力した表示方法を特定するための情報を受け付ける。受け付けられた表示方法を特定するための情報は文字情報及び書体情報とともに中央装置へ送信される。中央装置は指定された表示方法を特定するための情報に基づいて、文字情報を画像情報に変換し、変換後の画像情報を携帯端末装置へ配信するようにしたので、ユーザの好み応じた面白みのある画像情報を配信することが可能となる。
また、携帯端末装置から中央装置へ画像情報を動画として表示させるための動画プログラムを特定するための情報を送信する。中央装置は動画プログラムファイルから、送信された動画プログラムを特定するための情報に基づいて動画プログラムを抽出する。そして抽出した動画プログラムを携帯端末装置へ送信する。携帯端末装置は配信された動画プログラムに基づいて画像情報を表示するようにしたので、様々な動画の画像情報を配信することが可能となる。
第３発明、第８発明及び第１３発明にあっては上述のような提示文字を書体に拘わらず同一文字としたので、書体ごとの比較が容易である。
【００４３】
第４発明、第９発明及び第１４発明にあっては、機種によって表示画面の大きさ等の特性が異なることから、機種を特定するための機種情報を受け付ける。受け付けられた機種情報は文字情報等とともに中央装置へ送信される。中央装置には携帯端末装置の機種毎に特性（例えば、縦横の表示ドット数、カラー表示が可能であるか否か等）を登録した機種別ファイルが用意してあり、中央装置は指定された機種情報及び機種別ファイルに基づいて、文字情報を画像情報に変換し、変換後の画像情報を携帯端末装置へ配信するようにしたので、ユーザの機種の特性に適合した画像情報を配信することが可能となる。
【００４５】
第５発明、第１０発明及び第１５発明にあっては、文字情報に加えてユーザが指定した画像情報を特定するための画像特定情報を受け付ける。そして受け付けた画像特定情報を文字情報及び書体情報とともに中央装置へ送信する。中央装置は送信された画像特定情報に基づいて画像ファイルから画像情報を読み出し、読み出した画像情報に文字情報及び書体情報を反映させた画像情報に変換する。そして変換後の画像情報を携帯端末装置へ配信するようにしたので、待ち受け画面等に画像だけではなく、ユーザが指定した文字を付加することが可能となるので、より面白みのある配信サービスが可能となる。特に若年層は待ち受け画面等を変更するサイクルが早いという特徴があるが、本発明によればユーザにより文字情報を自由に付加させるようにしたので、飽きがこず、画像を送信するサービス業者にとっても一枚の画像のサイクルを長期化することが可能となる。
【００４６】
第６発明、第１１発明及び第１６発明にあっては、画像情報の属性を示す属性特定情報（例えば、ゲームキャラクタ、動物、花、自動車等）を受け付ける。そして属性特定情報を中央装置へ送信する。中央装置では送信された属性特定情報に基づいて画像ファイルからその属性に対応する画像情報または画像特定情報を抽出し、抽出した画像情報または画像特定情報を携帯端末装置へ送信するようにしたので、ユーザが画像を選択する際により簡単に自分の好みの画像を選択することが可能となる。また、その属性を中央装置において把握することができるので、ユーザの嗜好等を把握することも可能となる。
【００４７】
【発明の実施の形態】
以下本発明を実施の形態を示す図面に基づいて詳述する。
実施の形態１
図１は本発明にかかる配信システムの概要を示す模式図である。
【００４８】
図１に示す１は画像情報を提供する中央装置であり、通信網Ｎを介して携帯電話機等の携帯端末装置２，２，２…に接続されている。ユーザは希望する文字情報及び書体情報を携帯端末装置２に入力し、中央装置１へこれらの情報を送信する。中央装置１は文字情報及び書体情報に基づいて画像情報へ変換し、携帯端末装置２へ画像情報を配信する。以下に中央装置１の詳細について説明する。
【００４９】
図２は中央装置１の構成を示すブロック図、図３は携帯端末装置２の構成を示すブロック図である。
図２に示すようにバス１７にＭＰＵ１１，ＲＡＭ１２、ハードディスク等の記憶部１５，キーボード、マウス等の入力部１３，液晶ディスプレイ等の表示部１４、及びネットワークインターフェイス等の通信ポート１６が接続されている。なお、ＲＡＭ１２にはＭＰＵ１１、記憶部１５，入力部１３，表示部１４等を制御するための制御プログラム１２ａが記憶されている。また、記憶部１５にはゴシック体、明朝体等複数の書体を登録した書体ファイル１５１が設けられており、ゴシックＭＢ１０１ファイル１５１ａ、新ゴＭファイル１５１ｂ、じゅん３４ファイル１５１ｃ、正楷書体ファイル１５１ｄ、行書体ファイル１５１ｅ…等文字の書体を登録した書体ファイル１５１が用意されている。なお、新たな書体を登録する場合は、図示しない記録媒体読み取り装置により、または通信ポート１６を介して他のコンピュータからダウンロードさせることにより書体ファイル１５１に追加させることが可能である。また、本実施の形態においては、書体ファイル１５１は中央装置１に備えるようにしたが、図示しない他のコンピュータの記憶装置に書体ファイル１５１を記憶させておき、通信ポート１６を介して適宜書体ファイル１５１の記憶内容を読み出すようにしても良いことはもちろんである。
【００５０】
携帯端末装置２から文字情報及び書体情報が送信された場合は、文字情報及び書体情報がＲＡＭ１２に格納される。ＭＰＵ１１はＲＡＭ１２に格納した書体情報に基づいてこれに対応する書体ファイル１５１を読み出して格納した文字情報をその書体へ変換する。変換した文字情報はＧＩＦ(Graphics Interchange Format) 等の形式の画像情報に変換され、変換された画像情報は画像データとして携帯端末装置２へ配信される。
【００５１】
一方、図３に示す携帯端末装置２は例えば、公知の携帯電話機等でありバス２７にＭＰＵ２１，ＲＡＭ２２、操作ボタン等の入力部２３，液晶ディスプレイ等の表示部２４、及び通信部２６が接続されている。ユーザは中央装置１との間で通信を確立した後、入力部２３から文字及びその文字の書体を入力し、その情報を中央装置１へ送信する。そして中央装置１において変換され、配信された画像情報を表示部２４に待ち受け画面等として表示する。
【００５２】
図４は本発明に係る配信システムの処理手順を示すフローチャート、図５は携帯端末装置２の表示部２４に表示される内容のイメージを示す説明図である。以下に本発明の処理手順を図５の説明図を適宜参照しながら説明する。
【００５３】
まず、携帯端末装置２の入力部２３に中央装置１にアクセスするためのＵＲＬ(Uniform Resource Locators) を入力し（ステップＳ４１）、携帯端末装置２と中央装置１との間で通信を確立する。中央装置１は記憶部１５に予め記憶した図５に示す文字画像を作成するための作成ページをCompact ＨＴＭＬ(Hypertext Markup Language) 形式等により送信する（ステップＳ４２）。その際、書体を特徴するための特徴文字画像を送信するようにしても良い。なお、この点については後述する。図５（ａ）に示すように、作成ページが表示部２４に表示される（ステップＳ４３）。作成ページにはユーザが作成したい文字画像の文字情報を入力するための文字情報入力ボックス４１、及びその文字を表示させたい書体を特定するための書体情報入力ボックス４２が設けられる。
【００５４】
ユーザは文字情報入力ボックス４１に入力部２３から表示させたい文字情報をテキスト形式により入力する。また、ボックス４１ａに示すように文字情報は文字だけではなく色彩をも受け付けるようにしても良い。さらに、書体情報入力ボックス４２はプルダウンメニューとなっているのでユーザは入力部２３から希望する書体を選択する。ただし、書体の選択にあっては書体の形態を把握するのが困難であるため以下のように作成ページを表示するようにしても良い。
【００５５】
例えば、図５（ｂ）に示すように各書体に対応させてその書体の特徴を示す文字画像を表示するようにしても良い。具体的には「永」の文字は撥ね等の運字の要素を全て備えるので、中央装置１の書体ファイル１５１から「永」の特徴文字を読み出してＧＩＦ(Graphical Interchange Format)形式等の特徴文字の画像情報へ変換し、この特徴文字の画像情報を携帯端末装置２へ送信し（ステップＳ４２）、表示部２４に特徴を示す文字の画像を４３ｉ，４４ｉ、４５ｉ、４６ｉ…の如く表示する（ステップＳ４３）ようにしても良い。この場合、ユーザは入力部２３から特徴画像をクリックするか、または書体の下線で示されるハイパーリンク４３，４４，４５，４６…をクリックすることにより希望する書体を選択することが可能となる。
【００５６】
さらに、他の形態としては図５（ｃ）に示すように書体を示す文字自体を特徴文字の画像として表示するようにしても良い。すなわち「永」等の文字に替えて「明朝体」、「ゴシック体」等自体を特徴文字の画像として表示するようにしても良い。この場合、特徴文字の画像４７ｉ，４８ｉ，４９ｉ，５０ｉ…をユーザが選択することが可能となる。
【００５７】
以上のようにして文字情報及び書体情報が選択された場合は、携帯端末装置２のＭＰＵ２１は文字情報及び書体情報を受け付け（ステップＳ４４）、受け付けた文字情報及び書体情報を中央装置１へ送信する（ステップＳ４５）。中央装置１のＭＰＵ１１は送信された書体情報に対応する書体ファイル１５１を読み出して、送信された文字情報をその書体の画像情報へ変換する（ステップＳ４６）。具体的には書体を変換した後、ＧＩＦ、ＪＰＥＧ(Joint Photographic Experts Group)、ビットマップ形式等により画像情報に変換する。また、文字情報として色の指定があった場合は色彩を付加して画像情報に変換する。
【００５８】
変換された画像情報は携帯端末装置２へ配信され（ステップＳ４７）、配信された画像情報は待ち受け画面等として携帯端末装置２の表示部２４に表示される（ステップＳ４８）。
【００５９】
実施の形態２
実施の形態２は実施の形態１に加え文字の表示方法を特定するための情報及び携帯端末装置の機種情報をも考慮した画像情報を提供するものである。図６は実施の形態２に係る中央装置１の構成を示すブロック図である。図６に示すように記憶部１５には携帯端末装置２の機種毎の特性を示した機種別ファイル１５２が設けられている。携帯電話機の表示画面は通常縦１００ドット、横１００ドットで構成されるが、近年各社から提供される表示画面は拡大される傾向にありそのサイズもまちまちである。また、近年はカラー表示が可能な携帯電話機も登場している。機種別ファイル１５２は機種毎の特性を登録したものである。
【００６０】
図７は機種別ファイル１５２のデータ内容を示す説明図である。図に示すように携帯端末装置２の機種毎に表示ドット数、表示色等の特性が登録されている。例えば機種「Ｓ５０」では表示ドット数が縦１２０ドット、横１６０ドットであり、表示色が２５６色カラーである。
【００６１】
図８及び図９は実施の形態２に係る配信システムの処理手順を示すフローチャートである。また図１０乃至図１２は携帯端末装置２の表示部２４に表示される内容のイメージを示す説明図である。以下に実施の形態２に係る本発明の処理手順を図１０等の説明図を適宜参照しながら説明する。
【００６２】
まず、作成したい文字情報を図１０（ａ）に示す文字情報入力ボックス４１に入力し、書体情報を書体情報入力ボックス４２にそれぞれ入力する。その他、入力した文字を表示する際の表示方法を特定するための情報を入力する。具体的にはハイパーリンク４１１またはハイパーリンク４１２を択一的にクリックすることによりアニメーション表示させるのか、静止画像として表示させるのかを選択する。さらに、ユーザが使用している携帯端末装置２の機種をプルダウンボックス４１３から選択する。
【００６３】
これらの入力した文字情報、書体情報は受け付けられ（ステップＳ４４）、更に表示方法を特定するための情報及び機種を特定するための機種情報も受け付けられ（ステップＳ８１）、中央装置１へ送信される（ステップＳ８２）。中央装置１はこれらの情報を受信した場合は、表示方法を特定するための情報がアニメーションであるか否かを判断する（ステップＳ８３）。アニメーションである場合（ステップＳ８３でＹＥＳ）、すなわちユーザがハイパーリンク４１１をクリックした場合は、図１１（ｂ）の如く表示されるアニメーション作成ページを送信する（ステップＳ８４）。静止画像である場合（ステップＳ８３でＮＯ）、すなわちユーザがハイパーリンク４１２をクリックした場合は、図１０（ｂ）の如く表示される静止画像作成ページを送信する（ステップＳ８５）。なおアニメーション作成ページ及び静止画像作成ページは記憶部１５に記憶されている。ユーザはこれらのページから表示方法の詳細を決定し、最終的な表示方法を特定するための情報を中央装置１へ送信する（ステップＳ８６）。
【００６４】
アニメーションを選択した場合について具体的に説明すると、アニメーション作成ページには図１１（ｂ）に示すように、画像情報のアニメーション効果を選択するための項目が表示される。ユーザはハイパーリンク４１８，４１９，４２０，…のいずれかをクリックすることにより、希望するアニメーションを選択する。例えば、ハイパーリンク４１８で示す「スライド」を選択した場合は、図１２（ａ）で示す複数の画像情報へ変換され、待ち受け画面等に表示する場合はこれらの画像情報を適宜の速度で切り替えて表示することによりアニメーション効果を得る。また、ハイパーリンク４１９で示すブラインドを選択した場合は、図１２（ｂ）で示す様なアニメーション画像情報を得ることができる。その他、図１２（ｃ）で示すようにスクロール表示するようにしても良い。
【００６５】
静止画像を選択した場合は、静止画像作成ページが図１０（ｂ）の如く表示される。入力した文字を縦組みで表示させる場合はハイパーリンク４１４をクリックし、横組みで表示させる場合は、ハイパーリンク４１５をクリックする。また複数の文字から構成される場合は、ボックス４１６及び４１７に行数及び列数をそれぞれ入力することができる。その他フォントサイズ等を入力することができるようにしても良い。ここで文字情報「特許発明」、書体情報「正楷書体」、表示方法を特定するための情報として「静止画像」、「横組み」「２行及び２列」という情報が送信された場合は、図１０（ｃ）で示す画像情報に変換される。つまり、実施の形態１で述べたように書体情報に対応する書体ファイル１５１を読み出し、文字情報の書体を変換する（ステップＳ９１）。そして表示方法を特定するための情報に基づいて文字情報から画像情報へ変換する（ステップＳ９２）。
【００６６】
続いて、送信された機種特定情報をキーとして機種別ファイル１５２から機種の特性を読み出す。そして読み出した機種の特性を基に画像情報を更に変換する（ステップＳ９３）。具体的には、ステップＳ９２において変換された画像情報は表示画面が縦１００ドット、横１００ドットであることを想定して作成されているので、読み出した表示ドット数が縦１２０ドット、横１６０ドットである場合は、すでに変換した画像情報を縦方向に１．２倍、横方向に１．６倍する変換を行う。変換後の画像情報は携帯端末装置２へ配信され（ステップＳ９４）、表示部２４に表示される（ステップＳ９５）。このように構成することで、図１１（ａ）に示すように、表示部２４の表示領域が大きい場合でも、これに対応する大きさの画像情報を配信することが可能となる。その他、文字自体の縦横比を適宜な値とするようにしても良い。更に変換した画像情報の文字部分をスムージング処理してから配信するようにしても良い。
【００６７】
本実施の形態２は以上の如き構成としてあり、その他の構成及び作用は実施の形態１と同様であるので、対応する部分には同一の参照番号を付してその詳細な説明を省略する。
【００６８】
実施の形態３
実施の形態３は文字及び画像を融合させた画像情報を配信するものである。図１３は実施の形態３に係る中央装置１の構成を示すブロック図である。図に示すように記憶部１５にはファイル名等の画像特定情報に対応させて画像情報が登録された画像ファイル１５３が設けられている。図１４は画像ファイル１５３のデータ内容を示す説明図である。
【００６９】
図１４に示すように画像情報を特定するための画像特定情報が登録されている。なお図示していないが、画像特定情報に対応して画像情報が画像ファイル１５３内に登録されている。画像情報は例えばＧＩＦ形式で登録されている。また、画像特定情報は属性毎に分類して登録されている。例えば、アニメの「キャラクターシリーズ」、「自動車シリーズ」等に分類している。なお、本実施の形態においては、画像ファイル１５３は中央装置１に備えるようにしたが、図示しないコンピュータの記憶装置に画像ファイル１５３を記憶させておき、通信ポート１６を介して適宜画像ファイル１５３の記憶内容を読み出すようにしても良いことはもちろんである。
【００７０】
図１５及び図１６は実施の形態３に係る配信システムの処理手順を示すフローチャートである。また図１７及び図１８は携帯端末装置２の表示部２４に表示される内容のイメージを示す説明図である。以下に実施の形態３に係る本発明の処理手順を図１７等の説明図を適宜参照しながら説明する。
【００７１】
ユーザは図１７（ａ）に示す文字情報入力ボックス４１に文字情報を入力し、書体情報入力ボックス４２に書体情報を入力する。また、ユーザは画像情報の属性を特定するための属性特定情報をハイパーリンク４２１，４２２，４２３，…から選択する。例えばアニメのキャラクターと文字とからなる画像を作成したい場合はキャラクターシリーズのハイパーリンク４２１をクリックする。入力された文字情報、書体情報、及び属性特定情報は受け付けられ（ステップＳ１５１）、中央装置１へ送信される（ステップＳ１５２）。
【００７２】
中央装置１は送信された文字情報及び書体情報をＲＡＭ１２に格納し、また属性特定情報をキーとして画像ファイル１５３から画像情報または画像特定情報を抽出する（ステップＳ１５３）。抽出された画像情報または画像特定情報は携帯端末装置２へ送信され（ステップＳ１５４）、表示部２４に送信された画像情報、又は画像特定情報を表示する（ステップＳ１５５）。なお、図１７（ｂ）に示すように画像特定情報及び画像情報の双方を送信して表示するようにしても良い。
【００７３】
ユーザは図１７（ｂ）に示される画像から好みの画像を選択する。具体的にはハイパーリンク４２４，４２５，４２６，…のいずれかを選択する。選択された場合、画像情報を特定するための画像特定情報が受け付けられ（ステップＳ１５６）、受け付けられた画像特定情報は中央装置１へ送信される（ステップＳ１６１）。中央装置１のＭＰＵ１１は、画像ファイル１５３から送信された画像特定情報に対応する画像情報を読み出し、またＲＡＭ１２に格納した文字情報、及び書体情報を読み出す。続いてＭＰＵ１１は書体ファイル１５１、読み出した文字情報、書体情報及び画像情報に基づいて画像情報へ変換する（ステップＳ１６２）。変換した画像情報は携帯端末装置２へ配信され（ステップＳ１６３）、画像情報が表示部２４に表示される（ステップＳ１６４）。
【００７４】
図１８に送信された画像情報を表示した際のイメージを例示する。図に示すように画像情報に特定の書体に係る文字情報が付加された画像情報が表示部２４に表示される。なお、ユーザが選択した属性を中央装置１の記憶部１５に登録しておくようにしても良い。このように構成することで、ユーザの嗜好を把握することが可能となる。また、ユーザが同一条件を指定した場合は、すでに選択した画像情報を配信しないように構成することにより、ユーザが再度、同一の画像情報を選択するという事態を防止することが可能となる。
【００７５】
実施の形態４
図１９は実施の形態４に係る本発明の中央装置１の構成を示す模式図である。実施の形態１に係る中央装置１を実行させるためのコンピュータプログラムは、本実施の形態４のように中央装置１にプレインストールして提供することも、またＣＤ−ＲＯＭ、ＭＯ等の可搬型記録媒体で提供することも可能である。さらに、プログラムを回線経由で搬送波として伝搬させて提供することも可能である。以下に、その内容を説明する。
【００７６】
図１９に示す中央装置１に、書体の特徴を示す画像情報を送信させ、画像情報へ変換させ、変換した画像情報を配信させるプログラムまたはプログラムが記憶された記録媒体１ａ（ＣＤ−ＲＯＭ、ＭＯ又はＤＶＤ−ＲＯＭ等）が中央装置１の記憶部１５にインストールされている。かかるプログラムは中央装置１のＲＡＭ１２にロードして実行される。これにより、上述のような本発明の中央装置１として機能する。
【００７７】
本実施の形態４は以上の如き構成としてあり、その他の構成及び作用は実施の形態１と同様であるので、対応する部分には同一の参照番号を付してその詳細な説明を省略する。
【００７８】
実施の形態５
図２０は実施の形態５に係る本発明の中央装置１の構成を示すブロック図である。図に示すように記憶部１５には、画像情報を動画として表示させるための動画プログラムが記憶された動画プログラムファイル１５４が設けられている。図２１は動画プログラムファイル１５４のデータ構造を示す説明図である。動画プログラムファイル１５４には、動画プログラムを特定するための動画プログラムコード及び動画名に対応させて動画プログラムが記憶されている。動画プログラムは例えば、ｊａｖａで作成されたプログラムであり、携帯端末装置２上で実行することが可能である。
【００７９】
図２２は、実施の形態５に係る本発明の配信システムの処理手順を示すフローチャートである。まず、中央装置１のＭＰＵ１１は動画プログラムファイル１５４から動画プログラムコード及び動画名を読み出し、これらの動画プログラムを特定するための情報として携帯端末装置２へ送信する（ステップＳ２２１）。携帯端末装置２は表示部２４に送信された動画名を列挙して表示する。ユーザが一の動画名を選択した場合は、これが動画プログラムを特定するための情報として受け付けられ（ステップＳ２２２）、受け付けられた動画プログラムを特定するための情報は中央装置１へ送信される（ステップＳ２２３）。具体的には受け付けられた動画名に対応する動画プログラムコードが中央装置１へ送信される。
【００８０】
中央装置１のＭＰＵ１１は送信された動画プログラムの特定情報、すなわち動画プログラムコードをキーに動画プログラムファイル１５４を参照し、これに対応する動画プログラムを抽出する（ステップＳ２２４）。抽出した動画プログラム、及び実施の形態１乃至４で述べた処理により変換された画像情報は、携帯端末装置２へ配信される（ステップＳ２２５）。携帯端末装置２のＭＰＵ２１は送信された動画プログラムをコンパイルし（ステップＳ２２６）、ｊａｖａの実行ファイル形式であるバイトコードに変換する。そして、これをＲＡＭ２２にロードして動画プログラムを実行する（ステップＳ２２７）。これにより、配信された画像情報は表示部２４で動画として表示される（ステップＳ２２８）。
【００８１】
本実施の形態５は以上の如き構成としてあり、その他の構成及び作用は実施の形態１乃至４と同様であるので、対応する部分には同一の参照番号を付してその詳細な説明を省略する。
【００８２】
【発明の効果】
以上詳述した如く、第１発明、第２発明、第７発明及び第１２発明にあっては、携帯端末装置は、ユーザが待ち受け画面等に表示させるために入力した文字情報及び書体情報を受け付けて、その受け付けた情報を中央装置へ送信する。そして、中央装置では、予め複数の書体を登録した書体ファイルを参照して送信された文字情報を、送信された書体情報に係る画像情報へ変換する。そして変換後の画像情報を携帯端末装置へ配信するようにしたので、ユーザの意志を反映した待ち受け画面等の画像を配信することが可能となり、より面白みのある配信サービスを運営することが可能となる。また、中央装置においてもユーザが指定した文字を変換して配信すればよいだけなので、様々な文字の画像情報をデータベースとして用意しておく必要もなく機器の小型化、システムの運営の簡易化を図ることが可能となる。
【００８３】
そして、ユーザが書体を決定する場合にそれを支援すべく、書体毎に書体の特徴を示す文字画像を表示する。例えば「永」の文字のように書体の特徴を表現するのに適した文字画像を書体毎に表示してユーザに提示するようにしたので、ユーザは容易に書体の相違を把握でき、しかも携帯端末装置のような通信速度、操作性、記憶容量、表示画面等、パーソナルコンピュータと比較して低性能な環境下でも、その操作性を損なうことなくユーザに画像情報を提供することが可能となる。
【００８４】
また、ユーザが画像情報を待ち受け画面等に表示する際の、画像情報の配列、例えば縦組み、横組み、行及び列、アニメーション（スライド表示、ブラインド表示、スクロール表示など）を指定するために入力した表示方法を特定するための情報を受け付ける。受け付けられた表示方法を特定するための情報は文字情報及び書体情報とともに中央装置へ送信される。中央装置は指定された表示方法を特定するための情報に基づいて、文字情報を画像情報に変換し、変換後の画像情報を携帯端末装置へ配信するようにしたので、ユーザの好み応じた面白みのある画像情報を配信することが可能となる。
また、携帯端末装置から中央装置へ画像情報を動画として表示させるための動画プログラムを特定するための情報を送信する。中央装置は動画プログラムファイルから、送信された動画プログラムを特定するための情報に基づいて動画プログラムを抽出する。そして抽出した動画プログラムを携帯端末装置へ送信する。携帯端末装置は配信された動画プログラムに基づいて画像情報を表示するようにしたので、様々な動画の画像情報を配信することが可能となる。
第３発明、第８発明及び第１３発明にあっては、書体に拘わらず同一文字を表示するので書体ごとの比較が容易である。
【００８５】
第４発明、第９発明及び第１４発明にあっては、機種によって表示画面の大きさ等の特性が異なることから、機種を特定するための機種情報を受け付ける。受け付けられた機種情報は文字情報等とともに中央装置へ送信される。中央装置には携帯端末装置の機種毎に特性（例えば、縦横の表示ドット数、カラー表示が可能であるか否か等）を登録した機種別ファイルが用意してあり、中央装置は指定された機種情報及び機種別ファイルに基づいて、文字情報を画像情報に変換し、変換後の画像情報を携帯端末装置へ配信するようにしたので、ユーザの機種の特性に適合した画像情報を配信することが可能となる。
【００８７】
第５発明、第１０発明及び第１５発明にあっては、文字情報に加えてユーザが指定した画像情報を特定するための画像特定情報を受け付ける。そして受け付けた画像特定情報を文字情報及び書体情報とともに中央装置へ送信する。中央装置は送信された画像特定情報に基づいて画像ファイルから画像情報を読み出し、これに文字情報及び書体情報を反映させた画像情報に変換する。そして変換後の画像情報を携帯端末装置へ配信するようにしたので、待ち受け画面等に画像だけではなく、ユーザが指定した文字を付加することが可能となるので、より面白みのある配信サービスが可能となる。特に若年層は待ち受け画面等を変更するサイクルが早いという特徴があるが、本発明によればユーザにより文字情報を自由に付加させるようにしたので、飽きがこず、画像を送信するサービス業者にとっても一枚の画像のサイクルを長期化することが可能となる。
【００８８】
第６発明、第１１発明及び第１６発明にあっては、画像情報の属性を示す属性特定情報（例えば、ゲームキャラクタ、動物、花、自動車等）を受け付ける。そして属性特定情報を中央装置へ送信する。中央装置では送信された属性特定情報に基づいて画像ファイルからその属性に対応する画像情報または画像特定情報を抽出し、抽出した画像情報または画像特定情報を携帯端末装置へ送信するようにしたので、ユーザが画像を選択する際により簡単に自分の好みの画像を選択することが可能となる。また、その属性を中央装置において把握することができるので、ユーザの嗜好等を把握することも可能となる。等、本発明は優れた効果を奏し得る。
【図面の簡単な説明】
【図１】本発明にかかる配信システムの概要を示す模式図である。
【図２】中央装置の構成を示すブロック図である。
【図３】携帯端末装置の構成を示すブロック図である。
【図４】本発明に係る配信システムの処理手順を示すフローチャートである。
【図５】携帯端末装置の表示部に表示される内容のイメージを示す説明図である。
【図６】実施の形態２に係る中央装置の構成を示すブロック図である。
【図７】機種別ファイルのデータ内容を示す説明図である。
【図８】実施の形態２に係る配信システムの処理手順を示すフローチャートである。
【図９】実施の形態２に係る配信システムの処理手順を示すフローチャートである。
【図１０】携帯端末装置の表示部に表示される内容のイメージを示す説明図である。
【図１１】携帯端末装置の表示部に表示される内容のイメージを示す説明図である。
【図１２】携帯端末装置の表示部に表示される内容のイメージを示す説明図である。
【図１３】実施の形態３に係る中央装置の構成を示すブロック図である。
【図１４】画像ファイルのデータ内容を示す説明図である。
【図１５】実施の形態３に係る配信システムの処理手順を示すフローチャートである。
【図１６】実施の形態３に係る配信システムの処理手順を示すフローチャートである。
【図１７】携帯端末装置の表示部に表示される内容のイメージを示す説明図である。
【図１８】携帯端末装置の表示部に表示される内容のイメージを示す説明図である。
【図１９】実施の形態４に係る本発明の中央装置の構成を示す模式図である。
【図２０】実施の形態５に係る本発明の中央装置の構成を示すブロック図である。
【図２１】動画プログラムファイルのデータ構造を示す説明図である。
【図２２】実施の形態５に係る本発明の配信システムの処理手順を示すフローチャートである。
【符号の説明】
１    中央装置
１ａ  記録媒体
１５  記憶部
１５１  書体ファイル
１５２  機種別ファイル
１５３  画像ファイル
１５４  動画プログラムファイル
２    携帯端末装置
２３  入力部
２４  表示部
Ｎ    通信網
【図１】
0003691403.tif 000002
【図２】
0003691403.tif 000003
【図３】
0003691403.tif 000004
【図４】
0003691403.tif 000005
【図５】
0003691403.tif 000006
【図６】
0003691403.tif 000007
【図７】
0003691403.tif 000008
【図８】
0003691403.tif 000009
【図９】
0003691403.tif 000010
【図１０】
0003691403.tif 000011
【図１１】
0003691403.tif 000012
【図１２】
0003691403.tif 000013
【図１３】
0003691403.tif 000014
【図１４】
0003691403.tif 000015
【図１５】
0003691403.tif 000016
【図１６】
0003691403.tif 000017
【図１７】
0003691403.tif 000018
【図１８】
0003691403.tif 000019
【図１９】
0003691403.tif 000020
【図２０】
0003691403.tif 000021
【図２１】
0003691403.tif 000022
【図２２】
0003691403.tif 000023